(57)【要約】【課題】照明機能を有するものであってアーク状の形態からなる手摺を提供する。【解決手段】全体がアーク状の形態からなる手摺本体１と、手摺本体１を支持するために設けられるものであって、所定の間隔をもって設立される複数本の支柱７と、支柱７の先端部（上端部）７１と上記手摺本体１の下面部１７との間に設けられるものであって当該支柱７と上記手摺本体１との間を連結する連結装置２と、からなる。手摺本体１の下面部１７のところには所定の間隔をもってライト８が設けられている。ライト８への電力供給のための電源ケーブル（ケーブル）９が上記手摺本体１、支柱７、連結装置２内に配設される。ケーブル９を収容するために、上記支柱７、手摺本体１、連結装置２等は内部にケーブル９収納用の空洞部（１５，２５５，７５）が設けられるようになっている。【選択図】図１
2010059699.tif 000002
【特許請求の範囲】
【請求項１】
垂直状に設立された複数本の支柱と、当該支柱の先端部のところに設けられる手摺本体と、上記各支柱の先端部のところに設けられるものであって上記手摺本体の取付けに寄与する連結装置と、からなる手摺において、上記連結装置を、支柱先端部に取付けられるケースと、当該ケースの一方の端部のところに直立状に設けられるものであって、その先端部のところが手摺本体の下面部のところに取付けられるとともに、その全体が上記ケースの軸中心線を基準にして所定の角度内にて回転運動が可能なように、かつ、本ケースの内側に設けられるスライドシリンダの軸中心線方向への移動が可能なように取付けられるステイと、からなるようにした構成からなることを特徴とする手摺。
【請求項２】
請求項１記載の手摺において、上記支柱、ケース、及びステイをすべて中空状の形態からなるようにするとともに、当該ステイの上端部に形成される中空部のところが、上記手摺に形成された空洞部に連結されるようにした構成からなることを特徴とする手摺。
【請求項３】
請求項２記載の手摺において、上記支柱、ケース、及びステイの内部に形成される中空部内にケーブルを設置するとともに、当該ケーブルを上記手摺の下面側に設けられるライトに電気を送るように配設された電線に連結させるようにした構成からなることを特徴とする手摺。
【請求項４】
請求項１ないし請求項３記載の手摺において、上記連結装置を形成するケースを円筒状の形態からなるようにするとともに、その内面側に、同じく円筒状の形態からなるものであって上記ケースとの間において共通の軸中心線を基準にして相対回転運動が可能なように形成されたスライドシリンダを設けるとともに、当該スライドシリンダの一方の端部側に上記ステイを直立状に設立させるようにした構成からなることを特徴とする手摺。
【請求項５】
請求項４記載の手摺において、上記連結装置を形成する上記スライドシリンダの上記ステイの設けられる側とは反対側の端部のところに、上記スライドシリンダの内面側に設けられたネジ機構と係合して上記スライドシリンダを、その軸線方向へスライド移動させるように形成されたネジ機構からなる調整装置を設けるようにした構成からなることを特徴とする手摺。
【発明の詳細な説明】
【技術分野】
【０００１】
本発明は、階段の側方等に設けられるものであって、歩行者の安全性確保のために設けられるアーク状の形態からなる手摺に関するものである。特に、本発明のものは、このようなアーク状に湾曲した形態からなる手摺の、その支柱への取付け部の構造に関するものである。
【背景技術】
【０００２】
従来のこの種々のものとしては、例えば特開２００４−１８３３８９号公報記載のものの如く、手摺等の長尺物部材を特殊なブラケットを介して壁面等に取付けるようにしたもの、または特開平８−３０２６３２号公報記載のものの如く、地面から突出するように設けられた支柱上に、特別な可動機構等を介して手摺を取付けるようにしたもの等が挙げられる。
【特許文献１】特開２００４−１８３３８９号公報
【特許文献２】特開平８−３０２６３２号公報
【発明の開示】
【発明が解決しようとする課題】
【０００３】
ところで、上記従来のもの、例えば特開２００４−１８３３８９号公報記載のものは、ブラケットの取付部周りがむき出しの状態となっており、見栄えが良くなく、また、安全性上も好ましくないと言う問題点を有する。また、特開平８−３０２６３２号公報記載のものも可動部が露出した状態となっており、安全性上好ましくないと言う問題点を有する。更に、これらのものは、内部に電気配線を施すことができず、従って、手摺周りに照明を施すのが難しいと言う問題点を有する。このような問題点を解決するために、可動部位を外部に露出させないようにして見栄え及び安全性を向上させるとともに、手摺を形成する部材を中空状部材にて形成させ、これによって内部に電気配線を施すことのできるようにした照明灯（ライト）付きのアーク状形態からなる手摺（アーク状手摺）を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、垂直状に設立された複数本の支柱と、当該支柱の先端部のところに設けられる手摺本体と、上記各支柱の先端部のところに設けられるものであって上記手摺本体の取付けに寄与する連結装置と、からなる手摺に関して、上記連結装置を、支柱先端部に取付けられるケースと、当該ケースの一方の端部のところに直立状に設けられるものであって、その先端部のところが手摺本体の下面部のところに取付けられるとともに、その全体が上記ケースの軸中心線を基準にして所定の角度内にて回転運動が可能なように、かつ、本ケースの内側に設けられるスライドシリンダの軸中心線方向への移動が可能なように取付けられるステイと、からなるようにした構成を採ることとした。
【０００５】
また、請求項２記載の発明である第二の発明においては、請求項１記載の手摺に関して、上記支柱、ケース、及びステイをすべて中空状の形態からなるようにするとともに、当該ステイの上端部に形成される中空部のところが、上記手摺に形成された空洞部に連結されるようにした構成を採ることとした。
【０００６】
また、請求項３記載の発明である第三の発明においては、請求項２記載の手摺に関して、上記支柱、ケース、及びステイの内部に形成される中空部内にケーブルを設置するとともに、当該ケーブルを上記手摺の下面側に設けられるライトに電気を送るように配設された電線に連結させるようにした構成を採ることとした。
【０００７】
また、請求項４記載の発明である第四の発明においては、請求項１ないし請求項３記載の手摺に関して、上記連結装置を形成するケースを円筒状の形態からなるようにするとともに、その内面側に、同じく円筒状の形態からなるものであって上記ケースとの間において共通の軸中心線を基準にして相対回転運動が可能なように形成されたスライドシリンダを設けるとともに、当該スライドシリンダの一方の端部側に上記ステイを直立状に設立させるようにした構成を採ることとした。
【０００８】
また、請求項５記載の発明である第五の発明においては、請求項４記載の手摺に関して、上記連結装置を形成する上記スライドシリンダの上記ステイの設けられる側とは反対側の端部のところに、上記スライドシリンダの内面側に設けられたネジ機構と係合して上記スライドシリンダを、その軸線方向へスライド移動させるように形成されたネジ機構からなる調整装置を設けるようにした構成を採ることとした。
【発明の効果】
【０００９】
第一の発明によれば、アーク状の手摺本体を支柱上に支持する連結装置を支柱の先端部に設けられる円筒状のケース及び当該円筒状のケースのところに設けられる中空状のステイからなるようにしたので、連結装置を含む全体構成が単純な円筒状部材の組合わせにて形成されるようになり、全体的に簡素化された形態からなるようになった。また、本連結装置はケースを基準にして上記ステイを所定の角度範囲内にて回転調整することができるようになっていることより、同じ仕様の連結装置を各支柱先端部に設けることができるようになった。その結果、連結装置の共用化及び共通化を図ることができるようになった。
【００１０】
また、第二の発明によれば、連結装置を形成する各部材を中空状部材からなるようにしたので、各部の構造を単純な形態からなるようにすることができ、これによって全体の強度・剛性を高めさせることができるようになった。
【００１１】
また、第三の発明によれば、上記連結装置を含む各装置の部材を中空状部材にて形成させることによって、上記中空状部材内にケーブルを設置することができるようになり、これによって電気配線作業の効率化、更には電気配線の保護等を効果的に行なうことができるようになった。
【００１２】
また、第四の発明によれば、各支柱の先端部に取付けられる各連結装置を、すべて同じ仕様のものにて対応させることができるようになり、連結装置の製造原価の低減化等を図ることができるようになった。すなわち、各支柱の先端部に取付けられる各連結装置は、ステイの取付角度がそれぞれの取付場所によって異なるものではあるが、本発明のものにおいては、スライドシリンダの回転角度を調整することによってステイの取り付け角度を最適状態に調整することができるようになった。
【００１３】
また、第五の発明によれば、連結装置を形成するステイの角度調整等を、本連結装置を形成するスライドシリンダの内面側に設けられたネジ機構からなる調整装置を調整することによって行なうことができるようになり、これによって上記ステイの角度調整を簡単な操作によって円滑に行うことができるようになった。
【発明を実施するための最良の形態】
【００１４】
本発明を実施するための最良の形態について、図１ないし図６を基に説明する。本実施の形態にかかるものは、図１に示す如く、全体がアーク状の形態からなる手摺本体１と、当該手摺本体１を支持するために設けられるものであって、所定の間隔をもって設立される複数本の支柱７と、当該支柱７の先端部（上端部）７１と上記手摺本体１の下面部１７との間に設けられるものであって当該支柱７と上記手摺本体１との間を連結する連結装置２と、からなることを基本とするものである。
【００１５】
なお、このような基本構成からなるものにおいて、上記手摺本体１の下面部１７のところには所定の間隔をもってライト８が設けられるようになっている。従って、このようなライト８への電力供給のための電源ケーブル（ケーブル）９が上記手摺本体１、支柱７、連結装置２内に配設されることとなり、このケーブル９を収容するために、上記支柱７、手摺本体１、連結装置２等は内部にケーブル９収納用の空間部、すなわち空洞部（１５，２５５，７５）等が設けられるようになっているものである。
【００１６】
このような基本構成からなるものにおいて、上記連結装置２は、例えば図２及び図３に示す如く、支柱７の上端部７１のところに設けられるようになっているものである。そして、このような連結装置２を形成するステイ２５の先端部のところが手摺本体１の下面部１７に取付けられるようになっているものである。なお、この連結装置２を形成するステイ２５は、例えば図４に示す如く、本連結装置２の主要部を成す円筒状のケース（以下円筒状ケースと言う）２３及び当該円筒状ケース２３内に同心円状に設けられるスライドシリンダ２１の中心線（軸芯）Ｏ１Ｏ１に対して垂直状に設けられるようになっているものである。そして更に、本ステイ２５は、図３に示す如く、上記中心線（軸芯）Ｏ１を基準にして矢印図示方向へ所定の角度だけ揺動運動が可能なように設けられるようになっているものである。これによって、各支柱２の先端部と手摺本体１との交叉角度はそれぞれの場所によって異なるものではあるが、上記構成を採ることによって上記ステイ２５は上記手摺本体１の下面に対して常に直角な方向から結合されることとなり、構造力学的にバランスの採れた状態が維持されることとなる。
【００１７】
次に、本連結装置２についての、その具体的構成について、図４及び図５を基に説明する。なお、このものは、例えば図２に示す如く、本連結装置２の基礎を成す円筒状ケース２３が支柱７の上端部７１のところにビス止め機構等の締結手段を介して取付けられ、固定されるようになっているものである。そして、このような円筒状ケース２３内には、例えば図４に示す如く、同心円状の形態からなる円筒状のスライドシリンダ２１が設けられるようになっている。そして更に、このようなスライドシリンダ２１の先端部２１１のところにはステイ２５の下端部２５９が取付けられるようになっている。そして更に、上記ステイ２５の下端部２５９は上記円筒状ケース２３の先端部に設けられるキャップ２３１に設けられた取付穴２３３のところに、更にはスライドシリンダ２１の先端部に設けられた装着孔２１３（図５参照）のところに嵌り込むようになっているものである。
【００１８】
また、このような構成からなるスライドシリンダ２１のもう一方の端部側には、例えば図５に示す如く、上記スライドシリンダ２１の中心線（Ｏ１Ｏ１）上に、ボルト状の調整ネジ２２が設けられるようになっている。そして、この調整ネジ２２の雄ネジ部２２１は、上記スライドシリンダ２１の内面側に設けられた雌ネジ部２１２と係合するようになっている。このような調整ネジ２２は、上記中心線（Ｏ１Ｏ１）を基準にして、スライドシリンダ２１の回転角度、具体的には図３におけるステイ２５の傾き角度の調整をすることができるようになっているものである。すなわち、各支柱７の位置如何によっては、ステイ２５の傾き角度がそれぞれ異なってくるので、例えば図４に示す如く、各場所における傾き角度に合わせた状態で上記ステイ２５の調整をする。そして、その後に、上記調整ネジ２２を締め付ける。これによって、スライドシリンダ２１は図４の太矢印方向へ引き付けられる。その結果、ステイ２５の下方部は、スライドシリンダ２１の先端部に設けられた装着孔２１３のところに保持された状態で、小矢印方向へと引張られる。一方、この反作用によって、上記ステイ２５はキャップ２３１に設けられた取付穴２３３の接触面側から小矢印方向の反力を受ける。これによって、ステイ２５の下方部は、スライドシリンダ２１と円筒状ケース２３の先端部に設けられたキャップ２３１との間に保持されることとなる。このようにして、ステイ２５の位置決め（角度調整）が行なわれることとなる。なお、このような調整ネジ２２の外側にはカバー２９が設けられるようになっており、本カバー２９にて上記調整ネジ２２等を保護するようにしているものである。
【００１９】
なお、上記ステイ２５の下端部２５９のところには切欠部２５２が設けられるようになっており、この切欠部２５２は上記スライドシリンダ２１の内径部２１５につながるようになっているものである。これによって、ステイ２５の内径部２５５と円筒状のスライドシリンダ２１の内径部２１５とは連通状態となる。その結果、ステイ２５の上端部２５１のところに中空ナット２６を介して連結される手摺本体１の空洞部１５は、上記ステイ２５の内径部２５５、及びスライドシリンダ２１の内径部２１５を介して支柱７に形成された空間部（空洞部）７５に連結されることとなる。従って、これら各空間部及び空洞部等を経由させて、ケーブル９を、これら空間部内等に設置することができるようになる。
【００２０】
また、このような構成を採ることにより、手摺本体１の空洞部１５内にすでに設置されているケーブル９の、その端末部を上記ステイ２５の内径部２５５内へ導入させるとともに、このようなケーブル９をキャップ２３１内へ、更には円筒状ケース２３内に設置されたスライドシリンダ２１内へと導入させた状態で、上記ステイ２５、スライドシリンダ２１、及び円筒状ケース２３等の組付けを行なうことができようになる。その結果、このようにケーブル９の配線を先に行なわせた状態にて、次に、上記各部材の組付け作業等を行なうことができるようになり、全体の組付作業（組立作業）の効率化が図られることとなる。
【００２１】
なお、このような構成からなる手摺本体１の下面側１７のところには、所定の間隔をおいてライト８が設けられるようになっている（図１参照）。次に、このライト８の取付構造について図６を基に説明する。このものは、例えばステンレススチール製等のストリップ材がロール成形手段を介してＣ字状の横断面形態を有するように成形加工されることによって形成される型部材１１を基礎にして形成されるようになっているものである。そして、このような型部材１１のＣ字状横断面部内へ押出成形手段またはインジェクション成形手段等を介して所定のプラスチック材が充填されることによって形成されるベース部材１２等からなる長尺物の手摺本体１を基礎に、その下面側１７のところに上記ライト８が取付けられるようになっているものである。そして、このライト８は、手摺本体１の、その長手方向に等間隔状に複数個設けられるようになっているものである。
【００２２】
そして、このようなライト８のところへは、例えば図４及び図６に示す如く、所定の発光体にて発せられた光を誘導するように形成された光ケーブル（ケーブル）９が設置されるようになっている。そして、このケーブル９を介して伝送された光は、ライト８へと送られて、ここで照射されることとなる。その結果、光は主に下方へと照射されることとなり、歩行者等にとっては、直接光が目に入らず、間接光が目に入るようになる。従って、本ライト８から発せられる光は観者にとってはやさしい状態で視認されることとなる。
【００２３】
このような構成を採ることによって、本実施の形態のものにおいては、意匠性に優れているとともに、フットライトとしての機能を具備する手摺が効率良く形成（製造）されるようになり、安全性に優れたアーク状手摺が安価に提供されることとなる。
【図面の簡単な説明】
【００２４】
【図１】本発明の全体構成を示す外観図である。
【図２】本発明の主要部を成す連結装置周りの全体構成を示す斜視図である。
【図３】本発明にかかる連結装置の作動状態を示す説明図である。
【図４】本発明の主要部を成す連結装置の詳細構造を示す縦断面図である。
【図５】本発明の主要部を成す連結装置の詳細構成を示す部品展開図である。
【図６】本発明におけるライトの取付状態を示す断面図である。
【符号の説明】
【００２５】
１  手摺本体
１１  型部材
１２  ベース部材
１５  空洞部
１７  下面部
２  連結装置
２１  スライドシリンダ
２１１  先端部
２１２  雌ネジ部
２１３  装着孔
２１５  内径部
２２  調整ネジ
２２１  雄ネジ部
２３  ケース
２３１  キャップ
２３３  取付穴
２５  ステイ
２５１  上端部
２５２  切欠部
２５５  内径部
２５９  下端部
２６  中空ナット
２９  カバー
７  支柱
７１  上端部
７５  空洞部
８  ライト
９  ケーブル
【図１】
2010059699.tif 000003
【図２】
2010059699.tif 000004
【図３】
2010059699.tif 000005
【図４】
2010059699.tif 000006
【図５】
2010059699.tif 000007
【図６】
2010059699.tif 000008
【手続補正書】
【提出日】平成20年9月10日(2008.9.10)
【手続補正１】
【補正対象書類名】明細書
【補正対象項目名】００１８
【補正方法】変更
【補正の内容】
【００１８】
また、このような構成からなるスライドシリンダ２１のもう一方の端部側には、例えば図５に示す如く、上記スライドシリンダ２１の中心線（Ｏ１Ｏ１）上に、ボルト状の調整ネジ２２が設けられるようになっている。そして、この調整ネジ２２の雄ネジ部２２１は、上記スライドシリンダ２１の内面側に設けられた雌ネジ部２１２と係合するようになっている。このような調整ネジ２２は、上記中心線（Ｏ１Ｏ１）を基準にして、スライドシリンダ２１の回転角度、具体的には図３におけるステイ２５の傾き角度の調整をすることができるようになっているものである。すなわち、各支柱７の位置如何によっては、ステイ２５の傾き角度がそれぞれ異なってくるので、例えば図３に示す如く、各場所における傾き角度に合わせた状態で上記ステイ２５の調整をする。そして、その後に、上記調整ネジ２２を締め付ける。これによって、スライドシリンダ２１は、図４に示す両矢印方向のうちのいずれか一方側へと引き付けられる。その結果、ステイ２５の下方部は、スライドシリンダ２１の先端部に設けられた装着孔２１３のところに保持された状態で、上記両矢印方向のうちのいずれか一方側へと引張られる。一方、この反作用によって、上記ステイ２５はキャップ２３１に設けられた取付穴２３３の接触面側から反力を受ける。これによって、ステイ２５の下方部は、スライドシリンダ２１と円筒状ケース２３の先端部に設けられたキャップ２３１との間に保持されることとなる。このようにして、ステイ２５の位置決め（角度調整）が行なわれることとなる。なお、このような調整ネジ２２の外側にはカバー２９が設けられるようになっており、本カバー２９にて上記調整ネジ２２等を保護するようにしているものである。